(57)【要約】【課題】端子接続部の変形を抑制することができる圧着端子を提供する。【解決手段】圧着端子１は、加締め部２と、加締め部と一体に形成された筒形状の端子接続部３と、を備える。端子接続部は、底壁部５と、底壁部の第一端部につながった第一板状部６と、底壁部の第二端部につながった第二板状部７と、を有し、第一板状部は、底壁部から立設されている第一側壁部６１と、底壁部における加締め部に近い側の領域と対向する第一頂壁部６３と、第一頂壁部の先端から底壁部に向けて突出した第一係止部６５と、を有し、第二板状部は、底壁部から立設されている第二側壁部７１と、底壁部における加締め部から遠い側の領域と対向する第二頂壁部７３と、第二頂壁部の先端から底壁部に向けて突出した第二係止部７５と、を有し、第一係止部は、第二側壁部における幅方向Ｙの内側の面を係止し、第二係止部は、第一側壁部における幅方向の外側の面を係止する。【選択図】図１
2020064773.tif 000002
【特許請求の範囲】
【請求項１】
金属板によって形成され、電線に対して加締められる加締め部と、
前記金属板によって前記加締め部と一体に形成され、前記加締め部の軸方向において前記加締め部と隣接している筒形状の端子接続部と、
を備え、
前記端子接続部は、底壁部と、前記底壁部における幅方向の一端である第一端部につながった第一板状部と、前記底壁部における前記幅方向の他端である第二端部につながった第二板状部と、を有し、
前記第一板状部は、前記底壁部から立設されている第一側壁部と、屈曲部を介して前記第一側壁部とつながっており、前記底壁部における前記加締め部に近い側の領域と対向する第一頂壁部と、前記第一頂壁部の先端から前記底壁部に向けて突出した第一係止部と、を有し、
前記第二板状部は、前記底壁部から立設されている第二側壁部と、屈曲部を介して前記第二側壁部とつながっており、前記底壁部における前記加締め部から遠い側の領域と対向する第二頂壁部と、前記第二頂壁部の先端から前記底壁部に向けて突出した第二係止部と、を有し、
前記第一係止部は、前記第二側壁部における前記幅方向の内側の面を係止し、
前記第二係止部は、前記第一側壁部における前記幅方向の外側の面を係止する
ことを特徴とする圧着端子。
【請求項２】
前記第一側壁部において、前記第二係止部によって係止される部分には、前記幅方向の外側面に、前記第二係止部に対応する形状の切り欠きが形成されており、
前記第二係止部は、前記第一側壁部の前記切り欠きに収容され、当該切り欠きの壁面を係止する
請求項１に記載の圧着端子。
【請求項３】
前記第二側壁部において、前記第一係止部によって係止される部分には、前記幅方向の内側面に、前記第一係止部に対応する形状の切り欠きが形成されており、
前記第一係止部は、前記第二側壁部の前記切り欠きに収容され、当該切り欠きの壁面を係止する
請求項１または２に記載の圧着端子。
【請求項４】
前記軸方向に沿って前記加締め部と前記端子接続部とを連結する連結部を備え、
前記加締め部は、前記電線に対して前記幅方向の一方側から巻き付けられた第一加締片と、前記電線に対して前記幅方向の他方側から巻き付けられた第二加締片と、を有し、
前記連結部は、前記第一加締片と前記第一側壁部とをつなぎ、かつ前記第二加締片と前記第二側壁部とをつないでいる
請求項１から３の何れか１項に記載の圧着端子。
【請求項５】
電線と、前記電線に対して加締められた圧着端子と、を備え、
前記圧着端子は、
金属板によって形成され、前記電線に対して加締められた加締め部と、
前記金属板によって前記加締め部と一体に形成され、前記加締め部の軸方向において前記加締め部と隣接している筒形状の端子接続部と、
を有し、
前記端子接続部は、底壁部と、前記底壁部における幅方向の一端である第一端部につながった第一板状部と、前記底壁部における前記幅方向の他端である第二端部につながった第二板状部と、を有し、
前記第一板状部は、前記底壁部から立設されている第一側壁部と、屈曲部を介して前記第一側壁部とつながっており、前記底壁部における前記加締め部に近い側の領域と対向する第一頂壁部と、前記第一頂壁部の先端から前記底壁部に向けて突出した第一係止部と、を有し、
前記第二板状部は、前記底壁部から立設されている第二側壁部と、屈曲部を介して前記第二側壁部とつながっており、前記底壁部における前記加締め部から遠い側の領域と対向する第二頂壁部と、前記第二頂壁部の先端から前記底壁部に向けて突出した第二係止部と、を有し、
前記第一係止部は、前記第二側壁部における前記幅方向の内側の面を係止し、
前記第二係止部は、前記第一側壁部における前記幅方向の外側の面を係止する
ことを特徴とする端子付き電線。
【発明の詳細な説明】
【技術分野】
【０００１】
本発明は、圧着端子および端子付き電線に関する。
【背景技術】
【０００２】
従来、筒状の端子接続部を有する端子がある。特許文献１には、一枚のプレートより底面壁と一対の側面壁と天井壁が一体に形成された箱部と、箱部に一端が支持され、且つ、箱部内に配置された撓みバネ部とを備える端子が開示されている。特許文献１の端子において、天井壁は、撓みバネ部が箱部への支持部から先端までの領域を全て被覆している。また、一の側面壁は、第１側壁部の上端側と第２側壁部の下端側の双方が壁厚の薄い薄肉突部にそれぞれ形成されており、互いの薄肉突部同士が重なり合って配置されている。特許文献１の端子によれば、箱部が撓みバネ部を十分に保護できるとされている。
【先行技術文献】
【特許文献】
【０００３】
【特許文献１】特開２０１７−２０８１６６号公報
【発明の概要】
【発明が解決しようとする課題】
【０００４】
筒状の端子接続部の変形を抑制することについて、なお改良の余地が残されている。例えば、電線に対して端子が加締められる加締め工程において、加締め部に加わる力が端子接続部に伝わり、端子接続部を変形させてしまう可能性がある。端子接続部の変形を適切に抑制できることが望まれている。
【０００５】
本発明の目的は、端子接続部の変形を抑制することができる圧着端子および端子付き電線を提供することである。
【課題を解決するための手段】
【０００６】
本発明の圧着端子は、金属板によって形成され、電線に対して加締められる加締め部と、前記金属板によって前記加締め部と一体に形成され、前記加締め部の軸方向において前記加締め部と隣接している筒形状の端子接続部と、を備え、前記端子接続部は、底壁部と、前記底壁部における幅方向の一端である第一端部につながった第一板状部と、前記底壁部における前記幅方向の他端である第二端部につながった第二板状部と、を有し、前記第一板状部は、前記底壁部から立設されている第一側壁部と、屈曲部を介して前記第一側壁部とつながっており、前記底壁部における前記加締め部に近い側の領域と対向する第一頂壁部と、前記第一頂壁部の先端から前記底壁部に向けて突出した第一係止部と、を有し、前記第二板状部は、前記底壁部から立設されている第二側壁部と、屈曲部を介して前記第二側壁部とつながっており、前記底壁部における前記加締め部から遠い側の領域と対向する第二頂壁部と、前記第二頂壁部の先端から前記底壁部に向けて突出した第二係止部と、を有し、前記第一係止部は、前記第二側壁部における前記幅方向の内側の面を係止し、前記第二係止部は、前記第一側壁部における前記幅方向の外側の面を係止することを特徴とする。
【発明の効果】
【０００７】
本発明に係る圧着端子は、金属板によって形成され、電線に対して加締められる加締め部と、金属板によって加締め部と一体に形成され、加締め部の軸方向において加締め部と隣接している筒形状の端子接続部と、を備える。端子接続部は、底壁部と、底壁部における幅方向の一端である第一端部につながった第一板状部と、底壁部における幅方向の他端である第二端部につながった第二板状部と、を有する。
【０００８】
第一板状部は、底壁部から立設されている第一側壁部と、屈曲部を介して第一側壁部とつながっており、底壁部における加締め部に近い側の領域と対向する第一頂壁部と、第一頂壁部の先端から底壁部に向けて突出した第一係止部と、を有する。第二板状部は、底壁部から立設されている第二側壁部と、屈曲部を介して第二側壁部とつながっており、底壁部における加締め部から遠い側の領域と対向する第二頂壁部と、第二頂壁部の先端から底壁部に向けて突出した第二係止部と、を有する。第一係止部は、第二側壁部における幅方向の内側の面を係止し、第二係止部は、第一側壁部における幅方向の外側の面を係止する。本発明に係る圧着端子によれば、加締め部が電線に対して加締められる加締め工程において、第一係止部および第二係止部によって端子接続部の変形を抑制することができるという効果を奏する。
【図面の簡単な説明】
【０００９】
【図１】図１は、実施形態に係る端子付き電線の斜視図である。
【図２】図２は、実施形態に係る端子付き電線の平面図である。
【図３】図３は、実施形態に係る端子付き電線の側面図である。
【図４】図４は、実施形態において圧着端子に載置される電線を示す斜視図である。
【図５】図５は、加締め工程において作用する力を説明する斜視図である。
【図６】図６は、実施形態に係る端子付き電線の断面図である。
【図７】図７は、実施形態に係る端子付き電線の他の断面図である。
【図８】図８は、相手側の端子が挿入されている端子接続部の断面図である。
【発明を実施するための形態】
【００１０】
以下に、本発明の実施形態に係る圧着端子および端子付き電線につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１１】
［実施形態］
図１から図８を参照して、実施形態について説明する。本実施形態は、圧着端子および端子付き電線に関する。図１は、実施形態に係る端子付き電線の斜視図、図２は、実施形態に係る端子付き電線の平面図、図３は、実施形態に係る端子付き電線の側面図、図４は、実施形態において圧着端子に載置される電線を示す斜視図、図５は、加締め工程において作用する力を説明する斜視図、図６は、実施形態に係る端子付き電線の断面図、図７は、実施形態に係る端子付き電線の他の断面図、図８は、相手側の端子が挿入されている端子接続部の断面図である。図６には、図２のVI−VI断面が示されている。図７には、図２のVII−VII断面が示されている。図８には、図６と同じ断面位置の断面が示されている。
【００１２】
本実施形態に係る端子付き電線１０は、圧着端子１と、電線Ｗとを有する。本実施形態の圧着端子１は、図１から図３に示すように、加締め部２と、端子接続部３と、連結部４と、を有する。電線Ｗは、芯線１１と、絶縁性の被覆１２とを有する。被覆１２は、芯線１１の外周面を覆い、芯線１１を保護している。芯線１１の末端部は、被覆１２から突出している。圧着端子１は、芯線１１および被覆１２に対して加締められて端子付き電線１０を構成する。本実施形態の電線Ｗの端部には、シール部材１３が配置されている。シール部材１３は、略円筒形状の部材であり、被覆１２の外周面に対して装着されている。
【００１３】
本実施形態の圧着端子１は、導電性の金属板によって形成されている。圧着端子１は、母材としての金属板に対するプレス加工等によって形成される。加締め部２、端子接続部３、および連結部４は、一枚の金属板から形成されている。
【００１４】
加締め部２は、被覆圧着部２１、中間部２２、および芯線圧着部２３を有する。なお、以下の説明において、加締め部２および端子接続部３の軸方向を「軸方向Ｘ」と称する。軸方向Ｘにおいて、加締め部２から見た場合の端子接続部３側を「前側Ｘ１」と称し、端子接続部３から見た場合の加締め部２側を「後側Ｘ２」と称する。被覆圧着部２１、中間部２２、および芯線圧着部２３は、後側Ｘ２から前側Ｘ１に向けてこの順序で軸方向Ｘに沿って並んでいる。また、圧着端子１の幅方向を「幅方向Ｙ」と称する。幅方向Ｙは、軸方向Ｘと直交している。幅方向Ｙは、加締め部２における底壁部２１ｃ，２２ｃ，２３ｃの幅方向である。圧着端子１の高さ方向を「高さ方向Ｚ」と称する。高さ方向Ｚは、軸方向Ｘおよび幅方向Ｙのそれぞれと直交する方向である。
【００１５】
被覆圧着部２１は、電線Ｗの被覆１２に対して加締められる部分である。本実施形態の被覆圧着部２１は、シール部材１３を介して被覆１２に対して加締められる。被覆圧着部２１は、第一加締片２１ａ、第二加締片２１ｂ、および底壁部２１ｃを有する。第一加締片２１ａは、底壁部２１ｃにおける幅方向Ｙの一端につながっている片部である。第二加締片２１ｂは、底壁部２１ｃにおける幅方向Ｙの他端につながっている片部である。第一加締片２１ａおよび第二加締片２１ｂは、シール部材１３に対して巻き付けられ、シール部材１３に対して圧着される。
【００１６】
芯線圧着部２３は、電線Ｗの芯線１１に対して加締められる部分である。芯線圧着部２３は、第一加締片２３ａ、第二加締片２３ｂ、および底壁部２３ｃを有する。第一加締片２３ａは、底壁部２３ｃにおける幅方向Ｙの一端につながっている片部である。第二加締片２３ｂは、底壁部２３ｃにおける幅方向Ｙの他端につながっている片部である。第一加締片２３ａおよび第二加締片２３ｂは、芯線１１に対して巻き付けられ、芯線１１に対して圧着される。より詳しくは、第一加締片２３ａは、芯線１１に対して幅方向Ｙの一方側から巻き付けられ、第二加締片２３ｂは、芯線１１に対して幅方向Ｙの他方側から巻き付けられる。本実施形態の芯線圧着部２３は、所謂Ｂクリンプと称する形態で芯線１１に対して加締められている。加締め後の芯線圧着部２３は、断面形状がＢ字形状をなすように、第一加締片２３ａの先端および第二加締片２３ｂの先端と底壁部２３ｃとの間に芯線１１を挟み込んでいる。
【００１７】
中間部２２は、被覆圧着部２１と芯線圧着部２３とをつないでいる部分である。中間部２２は、第一側壁部２２ａ、第二側壁部２２ｂ、および底壁部２２ｃを有する。中間部２２の底壁部２２ｃは、被覆圧着部２１の底壁部２１ｃと芯線圧着部２３の底壁部２３ｃとを軸方向Ｘに沿ってつないでいる。また、中間部２２の第一側壁部２２ａは、被覆圧着部２１の第一加締片２１ａと芯線圧着部２３の第一加締片２３ａとを軸方向Ｘに沿ってつないでいる。中間部２２の第二側壁部２２ｂは、被覆圧着部２１の第二加締片２１ｂと芯線圧着部２３の第二加締片２３ｂとを軸方向Ｘに沿ってつないでいる。
【００１８】
端子接続部３は、角筒形状に形成されている。端子接続部３には、相手側の端子１４（図８参照）が挿入され、相手側の端子１４と電気的に接続される。端子接続部３は、底壁部５と、第一板状部６と、第二板状部７と、を有する。底壁部５、第一板状部６、および第二板状部７によって断面形状が矩形の筒状部が構成される。
【００１９】
第一板状部６は、底壁部５の第一端部５１（図６参照）につながっている。第一端部５１は、底壁部５における幅方向Ｙの一端である。図１から図３に示すように、第一板状部６は、第一側壁部６１と、屈曲部６２と、第一頂壁部６３と、屈曲部６４と、第一係止部６５と、を有する。第一側壁部６１は、底壁部５から立設されている部分である。第一側壁部６１は、底壁部５の第一端部５１から高さ方向Ｚに沿って立設されている。
【００２０】
第一頂壁部６３は、底壁部５の第一領域５３（図３，図７参照）と対向する部分である。第一領域５３は、底壁部５における後側Ｘ２の領域、言い換えると底壁部５における加締め部２に近い側の領域である。本実施形態の端子接続部３において、底壁部５と対向する頂壁部は、前側Ｘ１の構成部と、後側Ｘ２の構成部とに分かれている。第一頂壁部６３は、二つの構成部のうち、後側Ｘ２の構成部である。第一頂壁部６３は、屈曲部６２を介して第一側壁部６１とつながっている。第一板状部６は、屈曲部６２において実質的に直角に折れ曲がっている。
【００２１】
第一係止部６５は、第一頂壁部６３の先端に設けられている。第一係止部６５は、屈曲部６４を介して第一頂壁部６３とつながっている。第一板状部６は、屈曲部６４において実質的に直角に折れ曲がっている。つまり、第一係止部６５は、第一頂壁部６３に対して直交する方向に延在している。第一係止部６５は、第一頂壁部６３から底壁部５に向けて高さ方向Ｚに沿って突出している。第一係止部６５は、後述するように、端子接続部３の変形を抑制する。
【００２２】
第二板状部７は、底壁部５の第二端部５２（図６参照）につながっている。第二端部５２は、底壁部５における幅方向Ｙの他端であり、第一端部５１側とは反対側の端部である。図１から図３に示すように、第二板状部７は、第二側壁部７１と、屈曲部７２と、第二頂壁部７３と、屈曲部７４と、第二係止部７５と、を有する。第二側壁部７１は、底壁部５から立設されている部分である。第二側壁部７１は、底壁部５の第二端部５２から高さ方向Ｚに沿って立設されている。
【００２３】
第二頂壁部７３は、底壁部５の第二領域５４（図３，図６参照）と対向する部分である。第二領域５４は、底壁部５における前側Ｘ１の領域、言い換えると底壁部５における加締め部２から遠い側の領域である。つまり、第二頂壁部７３は、頂壁部を構成する二つの構成部のうち、前側Ｘ１の構成部である。第二頂壁部７３は、屈曲部７２を介して第二側壁部７１とつながっている。第二板状部７は、屈曲部７２において実質的に直角に折れ曲がっている。
【００２４】
第二係止部７５は、第二頂壁部７３の先端に設けられている。第二係止部７５は、屈曲部７４を介して第二頂壁部７３とつながっている。第二板状部７は、屈曲部７４において実質的に直角に折れ曲がっている。つまり、第二係止部７５は、第二頂壁部７３に対して直交する方向に延在している。第二係止部７５は、第二頂壁部７３から底壁部５に向けて高さ方向Ｚに沿って突出している。第二係止部７５は、後述するように、端子接続部３の変形を抑制する。
【００２５】
本実施形態の端子接続部３では、図２に示すように、軸方向Ｘに沿った第一頂壁部６３の長さＬ１と、軸方向に沿った第二頂壁部７３の長さＬ２とが実質的に等しい。つまり、第一頂壁部６３は、底壁部５における後側Ｘ２の半分の領域を覆い、第二頂壁部７３は、底壁部５における前側Ｘ１の半分の領域を覆っている。第一頂壁部６３および第二頂壁部７３の長さＬ１，Ｌ２は、第一側壁部６１および第二側壁部７１の長さＬ３の略半分である。
【００２６】
図６に示すように、第二係止部７５は、第一側壁部６１の被係止面６１ｂを係止する。被係止面６１ｂは、第一側壁部６１における幅方向Ｙの外側の面である。本実施形態の第一側壁部６１には、先端に薄肉部６１ａが設けられている。薄肉部６１ａは、例えば、第一側壁部６１における幅方向Ｙの外側の部分を取り除くことにより形成される。つまり、第一側壁部６１の先端には、幅方向Ｙの外側部分を所定の厚さで切り欠いた切り欠き６１ｃが形成されている。薄肉部６１ａの厚さｔ１は、母材の金属板の厚さｔ０の半分よりも小さい。被係止面６１ｂは、薄肉部６１ａにおける幅方向Ｙの外側の面である。
【００２７】
第二係止部７５には、先端に薄肉部７５ａが設けられている。薄肉部７５ａは、例えば、第二係止部７５における幅方向Ｙの内側の部分を取り除くことにより形成される。つまり、第二係止部７５の先端には、幅方向Ｙの内側部分を切り欠いた切り欠き７５ｃが形成されている。第二係止部７５は、薄肉部７５ａにおける幅方向Ｙの内側の面である係止面７５ｂを有する。第二係止部７５は、係止面７５ｂによって被係止面６１ｂを係止する。薄肉部７５ａの厚さｔ２は、切り欠き６１ｃに収容可能な厚さである。薄肉部７５ａの厚さｔ２は、例えば、薄肉部６１ａの厚さｔ１と同等である。
【００２８】
第二係止部７５の薄肉部７５ａは、第一側壁部６１の切り欠き６１ｃに入り込み、第一側壁部６１の薄肉部６１ａは、第二係止部７５の切り欠き７５ｃに入り込む。これにより、第二係止部７５の係止面７５ｂは、第一側壁部６１の被係止面６１ｂと幅方向Ｙにおいて対向する。係止面７５ｂは、被係止面６１ｂに対して幅方向Ｙの外側に位置し、幅方向Ｙの外側から被係止面６１ｂを支持する。
【００２９】
図７に示すように、第一係止部６５は、第二側壁部７１の被係止面７１ｂを係止する。被係止面７１ｂは、第二側壁部７１における幅方向Ｙの内側の面である。第二側壁部７１には、先端に薄肉部７１ａが設けられている。薄肉部７１ａは、例えば、第二側壁部７１における幅方向Ｙの内側の部分を取り除くことにより形成される。つまり、第二側壁部７１の先端には、幅方向Ｙの内側部分を所定の厚さで切り欠いた切り欠き７１ｃが形成されている。薄肉部７１ａの厚さｔ３は、母材の金属板の厚さｔ０の半分よりも小さい。被係止面７１ｂは、薄肉部７１ａにおける幅方向Ｙの内側の面である。
【００３０】
第一係止部６５には、先端に薄肉部６５ａが形成されている。薄肉部６５ａは、例えば、第一係止部６５における幅方向Ｙの外側の部分を取り除くことにより形成される。つまり、第一係止部６５の先端には、幅方向Ｙの外側部分を切り欠いた切り欠き６５ｃが形成されている。第一係止部６５は、薄肉部６５ａにおける幅方向Ｙの外側の面である係止面６５ｂを有する。第一係止部６５は、係止面６５ｂによって被係止面７１ｂを係止する。薄肉部６５ａの厚さｔ４は、切り欠き７１ｃに収容可能な厚さである。薄肉部６５ａの厚さｔ４は、例えば、薄肉部７１ａの厚さｔ３と同等である。
【００３１】
第一係止部６５の薄肉部６５ａは、第二側壁部７１の切り欠き７１ｃに入り込み、第二側壁部７１の薄肉部７１ａは、第一係止部６５の切り欠き６５ｃに入り込む。これにより、第一係止部６５の係止面６５ｂは、第二側壁部７１の被係止面７１ｂと幅方向Ｙにおいて対向する。係止面６５ｂは、被係止面７１ｂに対して幅方向Ｙの内側に位置し、幅方向Ｙの内側から被係止面７１ｂを支持する。
【００３２】
連結部４は、第一連結壁部４１、第二連結壁部４２、および底壁部４３を有する。底壁部４３は、軸方向Ｘに沿って加締め部２の底壁部２３ｃと端子接続部３の底壁部５とをつないでいる。第一連結壁部４１は、軸方向Ｘに沿って加締め部２の第一加締片２３ａと端子接続部３の第一側壁部６１とをつないでいる。第二連結壁部４２は、軸方向Ｘに沿って加締め部２の第二加締片２３ｂと端子接続部３の第二側壁部７１とをつないでいる。第一連結壁部４１および第二連結壁部４２は、幅方向Ｙにおいて互いに対向する側壁部をなしている。
【００３３】
図１等に示すように、本実施形態の圧着端子１は、ばね部８を有する。ばね部８は、端子接続部３の内部に配置された撓みばねである。ばね部８は、金属板における底壁部５と連続する部分を折り曲げて形成されている。ばね部８は、第一頂壁部６３および第二頂壁部７３と隙間をあけて対向している。ばね部８は、第一頂壁部６３および第二頂壁部７３との間に相手側の端子１４を挟み込む。
【００３４】
以上のような構成を有する圧着端子１では、以下に説明するように、加締め部２が電線Ｗに対して加締められる際の端子接続部３の変形が抑制される。図４には、電線Ｗに対して加締められる前の圧着端子１が示されている。加締め前の圧着端子１において、端子接続部３は、既に上記のような筒形状に形成されている。被覆圧着部２１および芯線圧着部２３は、断面形状がＵ字形状をなすように形成されている。被覆圧着部２１において、第一加締片２１ａおよび第二加締片２１ｂは、幅方向Ｙにおいて互いに対向している。第一加締片２１ａおよび第二加締片２１ｂは、高さ方向Ｚに沿って先端へ向かうに従って互いの間隔が広くなるように傾斜している。
【００３５】
芯線圧着部２３において、第一加締片２３ａおよび第二加締片２３ｂは、幅方向Ｙにおいて互いに対向している。第一加締片２３ａおよび第二加締片２３ｂは、高さ方向Ｚに沿って先端へ向かうに従って互いの間隔が広くなるように傾斜している。電線Ｗは、芯線１１が芯線圧着部２３の内方に位置し、かつシール部材１３が被覆圧着部２１の内方に位置するように圧着端子１に載置される。
【００３６】
図５には、圧着端子１に載置された電線Ｗが示されている。この状態から、被覆圧着部２１がシール部材１３に対して加締められ、芯線圧着部２３が芯線１１に対して加締められる。加締め工程は、例えば、アンビルおよびクリンパを有する端子圧着装置によってなされる。加締め工程において、被覆圧着部２１および芯線圧着部２３には、それぞれ幅方向Ｙの内側へ向かう力Ｆ１，Ｆ２が作用する。
【００３７】
芯線圧着部２３の第一加締片２３ａおよび第二加締片２３ｂは、力Ｆ２によって、それぞれ幅方向Ｙの内側に向けて折り曲げられる。その結果、端子接続部３には、端子接続部３を幅方向Ｙに向けて変形させようとする力Ｆ３，Ｆ４が作用する。端子接続部３における後側Ｘ２の部分には、幅方向Ｙの内側へ向かう力Ｆ３が作用する。一方、端子接続部３における前側Ｘ１の部分には、幅方向Ｙの外側へ向かう力Ｆ４が作用する。本実施形態の圧着端子１は、端子接続部３の形状が、力Ｆ３，Ｆ４によって本来の形状に対して歪んでしまうことを抑制することができる。
【００３８】
例えば、図６を参照して説明したように、第二係止部７５は、係止面７５ｂによって被係止面６１ｂを幅方向Ｙの外側から支持する。力Ｆ４は、第一側壁部６１と第二側壁部７１とを離間させる方向の力である。第一側壁部６１および第二側壁部７１は、力Ｆ４によって、幅方向Ｙの外側に向けて傾斜しようとする。このときに、係止面７５ｂと被係止面６１ｂとが当接して、第一側壁部６１および第二側壁部７１が傾斜することを規制する。よって、端子接続部３の形状が本来の形状に対して歪んでしまうことが抑制される。
【００３９】
図７を参照して説明したように、第一係止部６５は、係止面６５ｂによって被係止面７１ｂを幅方向Ｙの内側から支持する。力Ｆ３は、第一側壁部６１と第二側壁部７１とを近づける方向の力である。第一側壁部６１および第二側壁部７１は、力Ｆ３によって、幅方向Ｙの内側に向けて傾斜しようとする。このときに、係止面６５ｂと被係止面７１ｂとが当接して、第一側壁部６１および第二側壁部７１が傾斜することを規制する。よって、端子接続部３の形状が本来の形状に対して歪んでしまうことが抑制される。
【００４０】
図８には、端子接続部３に対して相手側の端子１４が挿入された状態の断面図が示されている。本実施形態の圧着端子１では、端子接続部３と相手側の端子１４との隙間Ｇ１が適切に維持される。隙間Ｇ１は、端子接続部３の内側面と相手側の端子１４との幅方向Ｙにおける間隔である。本実施形態の圧着端子１では、加締め工程において、隙間Ｇ１が変化しまうような端子接続部３の変形が抑制される。例えば、端子接続部３における前側Ｘ１の部分では、隙間Ｇ１が広がってしまう変形が第二係止部７５によって規制される。端子接続部３における後側Ｘ２の部分では、隙間Ｇ１が狭くなってしまう変形が第一係止部６５によって規制される。従って、本実施形態の圧着端子１は、相手側の端子１４の移動可能量を適切な範囲に維持し、安定した電気接触を実現することができる。
【００４１】
以上説明したように、本実施形態の圧着端子１は、加締め部２と、筒形状の端子接続部３と、を有する。加締め部２は、金属板によって形成され、電線Ｗに対して加締められる。端子接続部３は、金属板によって加締め部２と一体に形成され、加締め部２の軸方向Ｘにおいて加締め部２と隣接している。端子接続部３は、底壁部５と、底壁部５の第一端部５１につながった第一板状部６と、底壁部５の第二端部５２につながった第二板状部７と、を有する。第一端部５１は、底壁部５における幅方向Ｙの一端である。第二端部５２は、底壁部５における幅方向Ｙの他端である。
【００４２】
第一板状部６は、第一側壁部６１と、第一頂壁部６３と、第一係止部６５と、を有する。第一側壁部６１は、底壁部５から立設されている。第一頂壁部６３は、屈曲部６２を介して第一側壁部６１とつながっている。第一頂壁部６３は、底壁部５の第一領域５３と対向する。第一領域５３は、底壁部５における加締め部２に近い側の領域である。第一係止部６５は、第一頂壁部６３の先端から底壁部５に向けて突出している。
【００４３】
第二板状部７は、第二側壁部７１と、第二頂壁部７３と、第二係止部７５と、を有する。第二側壁部７１は、底壁部５から立設されている。第二頂壁部７３は、屈曲部７２を介して第二側壁部７１とつながっている。第二頂壁部７３は、底壁部５の第二領域５４と対向する。第二領域５４は、底壁部５における加締め部２から遠い側の領域である。第二係止部７５は、第二頂壁部７３の先端から底壁部５に向けて突出している。
【００４４】
第一係止部６５は、第二側壁部７１における幅方向の内側の面を係止する。第二係止部７５は、第一側壁部６１における幅方向Ｙの外側の面を係止する。第一係止部６５および第二係止部７５は、加締め部２が電線Ｗに対して加締められる際に端子接続部３に力Ｆ３，Ｆ４が加わると、その力Ｆ３，Ｆ４による端子接続部３の変形を規制する。よって、本実施形態の圧着端子１は、端子接続部３の変形を抑制し、端子接続部３と相手側の端子１４との電気接触を安定させることができる。
【００４５】
本実施形態の第一側壁部６１において、第二係止部７５によって係止される部分には、幅方向Ｙの外側面に、切り欠き６１ｃが形成されている。第二係止部７５は、第一側壁部６１の切り欠き６１ｃに収容され、切り欠き６１ｃの壁面である被係止面６１ｂを係止する。第二係止部７５を収容する切り欠き６１ｃが第一側壁部６１に設けられることで、少なくとも幅方向Ｙにおける端子接続部３の大型化を抑制することが可能となる。
【００４６】
本実施形態の第二側壁部７１において、第一係止部６５によって係止される部分には、幅方向Ｙの内側面に、切り欠き７１ｃが形成されている。第一係止部６５は、第二側壁部７１の切り欠き７１ｃに収容され、切り欠き７１ｃの壁面である被係止面７１ｂを係止する。第一係止部６５を収容する切り欠き７１ｃが第二側壁部７１に設けられることで、少なくとも幅方向Ｙにおける端子接続部３の大型化を抑制することが可能となる。
【００４７】
本実施形態の圧着端子１は、軸方向Ｘに沿って加締め部２と端子接続部３とを連結する連結部４を有する。加締め部２は、電線Ｗに対して幅方向Ｙの一方側から巻き付けられた第一加締片２３ａと、電線Ｗに対して幅方向Ｙの他方側から巻き付けられた第二加締片２３ｂと、を有する。連結部４は、第一連結壁部４１によって第一加締片２３ａと第一側壁部６１とをつなぎ、かつ第二連結壁部４２によって第二加締片２３ｂと第二側壁部７１とをつないでいる。このように加締片２３ａ，２３ｂと側壁部６１，７１とが連結されている圧着端子１では、加締め工程において加締片２３ａ，２３ｂに加わる幅方向Ｙの力Ｆ２が端子接続部３に伝わりやすい。本実施形態の圧着端子１では、第一係止部６５および第二係止部７５を有することで、端子接続部３の変形が抑制される。
【００４８】
本実施形態の端子付き電線１０において、圧着端子１は、第一係止部６５および第二係止部７５を有している。よって、本実施形態の端子付き電線１０は、端子接続部３の変形を抑制し、端子接続部３と相手側の端子１４との電気接触を安定させることができる。
【００４９】
［実施形態の変形例］
実施形態の変形例について説明する。第一係止部６５および第二係止部７５の形状は、例示した形状には限定されない。例えば、第一係止部６５および第二係止部７５は、薄肉部６５ａ，７５ａを有していなくてもよい。
【００５０】
第一頂壁部６３の長さＬ１と第二頂壁部７３の長さＬ２とが異なっていてもよい。第一頂壁部６３は、幅方向Ｙの内側に向けた力Ｆ３が作用する範囲に設けられていることが好ましい。第二頂壁部７３は、幅方向Ｙの外側に向けた力Ｆ４が作用する範囲に設けられていることが好ましい。このようにすれば、第一係止部６５および第二係止部７５によって、より適切に端子接続部３の変形を抑制することが可能となる。
【００５１】
芯線１１に対する芯線圧着部２３の加締め形態は、所謂Ｂクリンプと称される形態には限定されない。第一加締片２３ａおよび第二加締片２３ｂは、例えば、互いに重なるようにして芯線１１に対して巻き付けられてもよい。
【００５２】
上記の実施形態および変形例に開示された内容は、適宜組み合わせて実行することができる。
【符号の説明】
【００５３】
１  圧着端子
２  加締め部
３  端子接続部
４  連結部
５  底壁部
６  第一板状部
７  第二板状部
８  ばね部
１０  端子付き電線
１１  芯線
１２  被覆
１３  シール部材
１４  相手側の端子
２１  被覆圧着部
２１ａ  第一加締片、  ２１ｂ：第二加締片、  ２１ｃ：底壁部
２２  中間部
２２ａ：第一側壁部、  ２２ｂ：第二側壁部
２３  芯線圧着部
２３ａ：第一加締片、  ２３ｂ：第二加締片、  ２３ｃ：底壁部
４１  第一連結壁部
４２  第二連結壁部
４３  底壁部
５１  第一端部
５２  第二端部
５３  第一領域
５４  第二領域
６１  第一側壁部
６１ａ：薄肉部、  ６１ｂ：被係止面、  ６１ｃ：切り欠き
６２  屈曲部
６３  第一頂壁部
６４  屈曲部
６５  第一係止部
６５ａ：薄肉部、  ６５ｂ：係止面、  ６５ｃ：切り欠き
７１  第二側壁部
７１ａ：薄肉部、  ７１ｂ：被係止面、  ７１ｃ：切り欠き
７２  屈曲部
７３  第二頂壁部
７４  屈曲部
７５  第二係止部
７５ａ：薄肉部、  ７５ｂ：係止面、  ７５ｃ：切り欠き
Ｗ  電線
【図１】
2020064773.tif 000003
【図２】
2020064773.tif 000004
【図３】
2020064773.tif 000005
【図４】
2020064773.tif 000006
【図５】
2020064773.tif 000007
【図６】
2020064773.tif 000008
【図７】
2020064773.tif 000009
【図８】
2020064773.tif 000010